(57)【要約】【課題】ガイドバーを締め付け固定するためのガイドバー固定用ダイヤルを締め付けることにより、チェーンテンション調整用ダイヤル及びガイドバー固定用ダイヤル自身を緩み難い構造にして、より信頼性が高く、作業効率の良いチェーンソーを提供する。【解決手段】チェーンテンション調整用ダイヤル１３にロックプレート２３を嵌込み、ガイドバー固定用ダイヤル１２とサイドカバー２０にはロックプレート２３のジグザグ山形状部２４ａ，２４ｂと係合するジグザグ山形状部２８，２９を形成する。そして、サイドカバー２０とロックプレート２３、ダイヤル１２とロックプレート２３をそれぞれ係合できるようにすることで、チェーンテンション調整用ダイヤル１３の固定及びガイドバー固定用ダイヤル１２の緩み止めが可能となる。【選択図】図６
2014097598.tif 000002
【特許請求の範囲】
【請求項１】
動力源と、前記動力源によって回転駆動されるスピンドルと、前記スピンドルの回転をソーチェーンに伝達するスプロケットとを有するチェーンソー本体と、
前記チェーンソー本体に対して進退可能に取り付けられるガイドバーと、
前記スプロケット及び前記ガイドバーの両方に架け渡される前記ソーチェーンと、
前記スプロケットと前記ガイドバーの取付部分とを覆って前記チェーンソー本体に固定されるサイドカバーと、
前記サイドカバーに回転自在に設けられていて、前記ガイドバーを進退させるチェーンテンション調整用ダイヤルと、
前記サイドカバーに回転自在に設けられていて、前記チェーンソー本体側のネジ部材と螺合し、前記サイドカバーと前記チェーンソー本体とで前記ガイドバーを挟持した状態で締め付け固定するガイドバー固定用ダイヤルとを備え、
前記チェーンテンション調整用ダイヤルの表側の面に第１の係合用凹凸部、及び裏側の面に第２の係合用凹凸部が、前記チェーンテンション調整用ダイヤルと一体に回転するように設けられており、
前記ガイドバー固定用ダイヤルの裏側に第３の係合用凹凸部が固定配置され、
前記サイドカバーに第４の係合用凹凸部が固定配置されており、
前記ガイドバー固定用ダイヤルの締め付け時に、前記第１の係合用凹凸部と前記第３の係合用凹凸部とが係合し、かつ前記第２の係合用凹凸部と前記第４の係合用凹凸部とが係合して緩み止め構造をなすことを特徴とするチェーンソー。
【請求項２】
前記第１の係合用凹凸部を表側に、前記第２の係合用凹凸部を裏側に形成したロックプレートが、前記チェーンテンション調整用ダイヤルに形成した穴に嵌め込まれていることを特徴とする請求項１に記載のチェーンソー。
【請求項３】
前記第１の係合用凹凸部と前記第３の係合用凹凸部は相互に噛み合い可能なジグザグ山形状を有するとともに、
前記第２の係合用凹凸部と前記第４の係合用凹凸部も相互に噛み合い可能なジグザグ山形状を有することを特徴する請求項１又は２に記載のチェーンソー。
【請求項４】
前記第１及び第２の係合用凹凸部はそれぞれスプリングバック可能であることを特徴する請求項１乃至３のいずれか一項に記載のチェーンソー。
【請求項５】
前記ガイドバー固定用ダイヤル及びチェーンテンション調整用ダイヤルは同軸配置であることを特徴とする請求項１乃至４のいずれか一項に記載のチェーンソー。
【請求項６】
前記サイドカバーと前記ガイドバー固定用ダイヤルとの間にスプリングが設けられていて、前記第１の係合用凹凸部と前記第３の係合用凹凸部とが離れる向きに付勢していることを特徴とする請求項１乃至５のいずれか一項に記載のチェーンソー。
【発明の詳細な説明】
【技術分野】
【０００１】
本発明は、ソーチェーンの張り具合を調整するテンションダイヤルとガイドバー固定用ダイヤルとを備えたチェーンソーに関するものである。
【背景技術】
【０００２】
電気チェーンソーの比較例を図８乃至図１０を用いて説明する。これらの図に示すように、電気チェーンソーは、ハウジング１に動力源としての電動モータ２を内蔵しており、ハウジング１の後方にはハンドル３が設けられている。ハンドル３にはモータ２への通電をオン、オフするスイッチ４が設けられている。
【０００３】
また、ハウジング１の前方にはギヤケース５が設けられており、ギヤケース５には、モータ２の回転力をスピンドル８に伝達するためにモータ２の出力軸に固着されたピニオン６と、ピニオン６に係合している（噛み合っている）ギヤ７とが内蔵されており、ギヤ７はギヤーケース５により回転自在に支持されたスピンドル８に固着されている。また、スピンドル８にはスプロケット９が固着されている。
【０００４】
そしてチェーンソー本体（モータ内蔵のハウジング１及びこれに一体化されたギヤ内蔵のギヤケース５を含む部分）に対して進退可能に取り付けられているガイドバー１０がギヤケース５とサイドカバー２０に挟まれていて、サイドカバー２０に装着されているガイドバー固定用ダイヤル１２を回すことによって、ガイドバー１０がギヤケース５とサイドカバー２０に挟み込まれて固定される構造となっている。
【０００５】
また、電気チェーンソーは、スプロケット９及びガイドバー１０の両方に架け渡されているソーチェーン１１を備え、ガイドバー１０を進退させるチェーンテンション調整機構を備えている。チェーンテンション調整機構は、図１０に示すように２段ギヤ構造であり、サイドカバー２０に装着されていてガイドバー固定用ダイヤル１２の回転軸と一致した回転軸を持つチェーンテンション調整用ダイヤル１３内側には内歯車１４が形成されていて、内歯車１４にサイドカバー２０に枢支された（回転自在に取り付けられれた）一段目の平歯車１５が係合し（噛み合い）、平歯車１５には２段目傘歯車の駆動側傘歯車１６が固着されている。この２段目傘歯車の駆動側傘歯車１６に従動側傘歯車１７が係合していて、さらに従動側傘歯車１７は調節ボルト１８の端部に固着されている。調節ボルト１８はサイドカバー２０で回転自在でかつ軸方向位置は変化しないように保持されている。調節ボルト１８の雄ネジ部にはボス１９の雌ネジ部が螺合していて、ボス１９の柱状部はガイドバー１０の穴１０ａに嵌合している。チェーンテンション調整用ダイヤル１３を回転調整することで調節ボルト１８が回転すると、調節ボルト１８軸方向にボス１９が移動し、その結果、ボス１９と嵌合しているガイドバー１０が移動してチェーンソーのチェーンテンションを調整する構造となっている。そして、ガイドバー固定用ダイヤル１２を弛めた状態においてチェーンテンション調整用ダイヤル１３を回転させてチェーンテンションを適切に調整後、ダイヤル１２を回して締め付け、ガイドバー１０をギヤケース５とサイドカバー２０とで挟んで固定する。
【０００６】
このような構造であると、チェーンソー操作中にガイドバー固定用ダイヤル１２及びチェーンテンション調整用ダイヤル１３外周等に不意に枝などの周辺物がぶつかったときに、ガイドバー固定用ダイヤル１２及びチェーンテンション調整用ダイヤル１３が緩んでしまう可能性があり、チェーンのテンション調整や、ガイドバー固定を再度行うことになってしまい、作業効率が低下してしまう可能性が出てくる。
【先行技術文献】
【特許文献】
【０００７】
【特許文献１】特開２００３−２５１６０２号公報
【発明の概要】
【発明が解決しようとする課題】
【０００８】
上記のように、比較例のチェーンソーの構造であると、ガイドバーを締め付け固定するためのガイドバー固定用ダイヤル及びチェーンテンション調整用ダイヤルがチェーンソー操作中に緩んで、ソーチェーンのテンション調整や、ガイドバー固定を再度行うことになってしまい、作業効率の低下を招く問題があった。
【０００９】
本発明はこうした状況を認識してなされたものであり、その目的は、ガイドバーを締め付け固定するためのガイドバー固定用ダイヤルを締め付けることにより、チェーンテンション調整用ダイヤル及びガイドバー固定用ダイヤル自身を緩み難い構造にして、より信頼性が高く、作業効率の良いチェーンソーを提供することにある。
【課題を解決するための手段】
【００１０】
本発明のある態様はチェーンソーである。このチェーンソーは、動力源と、前記動力源によって回転駆動されるスピンドルと、前記スピンドルの回転をソーチェーンに伝達するスプロケットとを有するチェーンソー本体と、
前記チェーンソー本体に対して進退可能に取り付けられるガイドバーと、
前記スプロケット及び前記ガイドバーの両方に架け渡される前記ソーチェーンと、
前記スプロケットと前記ガイドバーの取付部分とを覆って前記チェーンソー本体に固定されるサイドカバーと、
前記サイドカバーに回転自在に設けられていて、前記ガイドバーを進退させるチェーンテンション調整用ダイヤルと、
前記サイドカバーに回転自在に設けられていて、前記チェーンソー本体側のネジ部材と螺合し、前記サイドカバーと前記チェーンソー本体とで前記ガイドバーを挟持した状態で締め付け固定するガイドバー固定用ダイヤルとを備え、
前記チェーンテンション調整用ダイヤルの表側の面に第１の係合用凹凸部、及び裏側の面に第２の係合用凹凸部が、前記チェーンテンション調整用ダイヤルと一体に回転するように設けられており、
前記ガイドバー固定用ダイヤルの裏側に第３の係合用凹凸部が固定配置され、
前記サイドカバーに第４の係合用凹凸部が固定配置されており、
前記ガイドバー固定用ダイヤルの締め付け時に、前記第１の係合用凹凸部と前記第３の係合用凹凸部とが係合し、かつ前記第２の係合用凹凸部と前記第４の係合用凹凸部とが係合して緩み止め構造をなすことを特徴とする。
【００１１】
前記態様において、前記第１の係合用凹凸部を表側に、前記第２の係合用凹凸部を裏側に形成したロックプレートが、前記チェーンテンション調整用ダイヤルに形成した穴に嵌め込まれているとよい。
【００１２】
前記態様において、前記第１の係合用凹凸部と前記第３の係合用凹凸部は相互に噛み合い可能なジグザグ山形状を有するとともに、前記第２の係合用凹凸部と前記第４の係合用凹凸部も相互に噛み合い可能なジグザグ山形状を有するとよい。
【００１３】
前記態様において、前記第１及び第２の係合用凹凸部はそれぞれスプリングバック可能であるとよい。
【００１４】
前記態様において、前記ガイドバー固定用ダイヤル及びチェーンテンション調整用ダイヤルは同軸配置であるとよい。
【００１５】
前記態様において、前記サイドカバーと前記ガイドバー固定用ダイヤルとの間にスプリングが設けられていて、前記第１の係合用凹凸部と前記第３の係合用凹凸部とが離れる向きに付勢しているとよい。
【００１６】
なお、以上の構成要素の任意の組合せ、本発明の表現を方法やシステムなどの間で変換したものもまた、本発明の態様として有効である。
【発明の効果】
【００１７】
本発明によれば、チェーンテンション調整用ダイヤルの両面に係合用凹凸部を設けるとともに、それに係合可能な係合用凹凸部をガイドバー固定用ダイヤル及びサイドカバーにも設けておくことで、前記ガイドバー固定用ダイヤルの締め付けによって、前記サイドカバーと前記チェーンテンション調整用ダイヤル間、及びガイドバー固定用ダイヤルと前記チェーンテンション調整用ダイヤル間をそれぞれ係合用凹凸部同士で係合させることができ、前記チェーンテンション調整用ダイヤル及びガイドバー固定用ダイヤル自身を緩み難い構造にして、信頼性の高い、より作業効率の良いチェーンソーを実現することが出来る。
【図面の簡単な説明】
【００１８】
【図１】本発明に係るチェーンソーの一実施の形態を示す一部を断面とした側面図である。
【図２】同じく一部を断面とした平面図である。
【図３】図１のＡ−Ａ断面図である。
【図４】図３のＢ矢視断面図である。
【図５】実施の形態において、チェーンテンション調整用ダイヤルに嵌め込まれたロックプレートの配置を示す平断面図である。
【図６】図１のＣ−Ｃ断面図である。
【図７】ロックプレートの斜視図である。
【図８】比較例のチェーンソー示す一部を断面とした側面図である。
【図９】同じく一部を断面とした平面図である。
【図１０】図８のＤ−Ｄ断面図である。
【発明を実施するための形態】
【００１９】
以下、図面を参照しながら本発明の好適な実施の形態を詳述する。なお、各図面に示される同一または同等の構成要素、部材、処理等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００２０】
本発明に係るチェーンソーの一実施の形態を図１乃至図７を用いて説明する。図１乃至図７は動力源として電動モータ２を用いた電気チェーンソーを示し、電動モータ２を内蔵したハウジング１、モータ２の出力軸の回転をスプロケット９に伝達する伝動機構を内蔵したギヤケース５等を有するチェーンソー本体４０の構成は、図８乃至図１０に示した比較例の電気チェーンソーと同様であり、同一又は相当部分に同一符号を付して説明を省略する。異なる部分は、ガイドバー固定用ダイヤル１２、チェーンテンション調整用ダイヤル１３、サイドカバー２０、及びこれらに随する機構であり、これらについて以下に詳述する。
【００２１】
図３に示すように、ギヤケース５にはボルト３１が取り付けられ、ギヤケース５の外部に突出したボルト３１の雄ネジ部にガイドバー固定用ダイヤル１２の軸部１２ａ中心に形成した雌ネジ部１２ｂが螺合するようになっている。そして、チェーンソー本体４０に対して進退可能に取り付けられたガイドバー１０は、ギヤケース５とサイドカバー２０に挟まれ、サイドカバー２０に装着されているガイドバー固定用ダイヤル１２を回すことによって、ガイドバー１０がギヤケース５とサイドカバー２０に挟み込まれて固定される。ソーチェーン１１はスプロケット９及びガイドバー１０の両方に架け渡されていて、ガイドバー１０を進退させるチェーンテンション調整機構でテンション調整される。
【００２２】
チェーンテンション調整機構の基本構成は図８乃至図１０に示した比較例と同様であり、２段ギヤ構造である。すなわち、サイドカバー２０に装着されていてガイドバー固定用ダイヤル１２の回転軸と一致した回転軸を持つチェーンテンション調整用ダイヤル１３内側には内歯車１４が形成されていて、内歯車１４にサイドカバー２０に枢支された一段目の平歯車１５が係合し、平歯車１５には２段目傘歯車の駆動側傘歯車１６が固着されている。この２段目傘歯車の駆動側傘歯車１６に従動側傘歯車１７が係合していて、さらに従動側傘歯車１７は調節ボルト１８の端部に固着されている。調節ボルト１８はサイドカバー２０で回転自在でかつ軸方向位置は変化しないように保持されている。調節ボルト１８の雄ネジ部にはボス１９の雌ネジ部が螺合していて、ボス１９の柱状部はガイドバー１０の穴に嵌合している。チェーンテンション調整用ダイヤル１３の回転調整によって調節ボルト１８が回転すると、調節ボルト１８軸方向にボス１９が移動し、その結果、ボス１９と嵌合しているガイドバー１０が移動してチェーンソーのチェーンテンションを調整する構造となっている。
【００２３】
図５及び図６に示すように、チェーンテンション調整用ダイヤル１３には穴部２１が設けられ、各穴部２１に図７に示す形状（スリット付きの板を円弧状に曲げた形状）のロックプレート２３が嵌め込まれている。穴部２１は２か所図示したが穴部２１の数は１か所以上あればよい。また、穴部２１はロックプレート２３が嵌合できる形状でロックプレート２３と同数開いているものとする。
【００２４】
図７に示すように、ロックプレート２３は、第１の係合用凹凸部としてのジグザグ山形状部２４ａを表側（ガイドバー固定用ダイヤル１２に対向する側）に、第２の係合用凹凸部としてのジグザグ山形状部２４ｂを裏側（サイドカバー２０に対向する側）にそれぞれ形成したものである。また、ロックプレート２３の長手方向の両端部から中間部に向けてスリット２５を形成することで、ジグザグ山形状部２４ａ，２４ｂに弾性を持たせて、スプリングバック効果が得られるようにしている。ジグザグ山形状部２４ａ，２４ｂの山の稜線はチェーンテンション調整用ダイヤル１３の半径方向に沿った向きである。
【００２５】
また、ガイドバー固定用ダイヤル１２の裏側に第３の係合用凹凸部としてのジグザグ山形状部２８が固定配置（形成）され、サイドカバー２０に第４の係合用凹凸部としてのジグザグ山形状部２９が固定配置（形成）されている。ジグザグ山形状部２８，２９は円環状に１周する形状で、各山の稜線は当該円環の半径方向に沿った向きである。また、ジグザグ山形状部２８，２９は同心配置で、かつ同径である。
【００２６】
各ジグザグ山形状部は、例えば断面が三角形の突条が複数連なったものであり、ジグザグ山形状部２４ａとジグザグ山形状部２８とが相互に係合（噛み合い）可能で、またジグザグ山形状部２４ｂとジグザグ山形状部２９とが相互に係合（噛み合い）可能となっている。
【００２７】
また、ガイドバー固定用ダイヤル１２の軸部１２ａの周囲には、サイドカバー２０及びガイドバー固定用ダイヤル裏面との間にコイルスプリング２２が設けられていて、ガイドバー固定用ダイヤル１２とチェーンテンション調整用ダイヤル１３が離れる向きに（ジグザグ山形状部２８とジグザグ山形状部２４ａとが離れる向きに）付勢している。
【００２８】
以上の実施の形態の構成において、チェーンソー作業時には、まず初めにガイドバー固定用ダイヤル１２を仮締めする。この時、ダイヤル１２のジグザグ山形状部２８とロックプレート２３のジグザグ山形状部２４ａには隙間があり離れた状態である。
【００２９】
次に、ソーチェーン１１のテンション調節を行うためにチェーンテンション調整用ダイヤル１３を回動させる。この時、ロックプレート２３はチェーンテンション調整用ダイヤル１３と共に回動するが、ガイドバー固定用ダイヤル１２のジグザグ山形状部２８とロックプレート２３のジグザグ山形状部２４ａには依然隙間があり離れた状態であるので、ロックプレート２３のジグザグ山形状部２４ｂはサイドカバー２０のジグザグ山形状部２９を抵抗なく乗り越えて回動することができる。このようにチェーンテンション調整用ダイヤル１３によりソーチェーン１１のテンション調整を完了させる。
【００３０】
その後にガイドバー固定用ダイヤル１２を回動させ締め付けることによりガイドバー１０を固定させる。この時にはガイドバー固定用ダイヤル１２及びサイドカバー２０のジグザグ山形状部２８，２９と、ロックプレート２３のジグザグ山形状部２４ａ，２４ｂ間には隙間がなくなるので、サイドカバー２０のジグザグ山形状部２９とロックプレート２３のジグザグ山形状部２４ｂが係合して、まずチェーンテンション調整用ダイヤル１３が固定される状態となる（図７からわかるようにジグザグ山形状部２４ａよりもジグザグ山形状部２４ｂの山形状個数を多くしてあるため）。
【００３１】
ガイドバー固定用ダイヤル１２をさらに回動させると、ダイヤル１２のジグザグ山形状部２８をロックプレート２３のジグザグ山形状部２４ａが乗り越えようとする抵抗を作用させ、カチカチという感触が発生する。この時、ロックプレート２３のジグザグ山形状部２４ａはスリット２５により弾性（スプリングバック機能）を持たせてあるのでジグザグ山形状部２４ａの先端がつぶれてしまうことはない。ガイドバー固定用ダイヤル１２が締め付けられると、ダイヤル１２のジグザグ山形状部２８とロックプレート２３のジグザグ山形状部２４ａの係合により緩みづらい状態となる。
【００３２】
本実施の形態によれば、下記の効果を奏することができる。
【００３３】
(1) ガイドバー固定用ダイヤル１２及びチェーンテンション調整用ダイヤル１３が緩み難く、信頼性が高く、作業効率の改善を図ることができる。
【００３４】
(2) チェーンテンション調整用ダイヤル１３に設けられているロックプレート２３の表裏面のジグザグ山形状部２４ａ，２４ｂが、スプリングバックできる構造をなしているため、ガイドバー固定用ダイヤル１２又はチェーンテンション調整用ダイヤル１３を回転させる場合において、ロックプレート２３のジグザグ山形状部２４ａ，２４ｂがガイドバー固定用ダイヤル１２及びサイドカバー２０のジグザグ山形状部２８，２９を乗り越えるときに円滑に動作する。
【００３５】
(3) サイドカバー２０及びガイドバー固定用ダイヤル１２の間にスプリング２２が設けられていて、ロックプレート２３のジグザグ山形状部２４ａとガイドバー固定用ダイヤル１２のジグザグ山形状部２８とが離れる向きに付勢されているため、チェーンテンション調整用ダイヤル１３を回転調整している際に、ガイドバー固定用ダイヤル１２が共に回転することを回避でき、円滑な調整が可能である。
【００３６】
以上、実施の形態を例に本発明を説明したが、実施の形態の各構成要素や各処理プロセスには請求項に記載の範囲で種々の変形が可能であることは当業者に理解されるところである。以下、変形例について触れる。
【００３７】
上記実施の形態は、電動チェーンソーの場合を例示したが、電動機であるモータの代わりにエンジン（内燃機関）であっても構わない。
【００３８】
チェーンテンション調整用ダイヤル１３に、係合用凹凸部としてのジグザグ山形状部２４ａ，２４ｂを持つ別部品のロックプレート２３を取り付けたが、チェーンテンション調整用ダイヤル１３に係合用凹凸部としてのジグザグ山形状部２４ａ，２４ｂを一体に形成してもよい。
【符号の説明】
【００３９】
１  ハウジング
２  電動モータ
３  ハンドル
４  スイッチ
５  ギヤケース
６  ピニオン
７  ギヤ
８  スピンドル
９  スプロケット
１０  ガイドバー
１１  ソーチェーン
１２  ガイドバー固定用ダイヤル
１３  チェーンテンション調整用ダイヤル
１４  内歯車
１５  平歯車
１６  駆動側傘歯車
１７  従動側傘歯車
１８  調節ボルト
１９  ボス
２０  サイドカバー
２１  穴部
２２  スプリング
２３  ロックプレート
２４ａ，２４ｂ，２８，２９  ジグザグ山形状部、
２５  スリット
４０  チェーンソー本体
【図１】
2014097598.tif 000003
【図２】
2014097598.tif 000004
【図３】
2014097598.tif 000005
【図４】
2014097598.tif 000006
【図５】
2014097598.tif 000007
【図６】
2014097598.tif 000008
【図７】
2014097598.tif 000009
【図８】
2014097598.tif 000010
【図９】
2014097598.tif 000011
【図１０】
2014097598.tif 000012